(57)【要約】  【課題】  タイロッドの張力管理を容易にすることができ、圧縮方向の力が加わった場合においてタイロッドの座屈を防止することができる、タイロッド連結具を提供する  【解決手段】  タイロッド５０を連結するためのタイロッド連結具１である。タイロッド連結具１は、タイロッド５０の一端５１側を挿入する挿入孔１０が設けられるタイロッド挿入壁８を備え、内部に前記タイロッド挿入壁８に挿通されたタイロッド５０の先端５１側を受け入れる受入空間２ａを有するケーシング２と、一端が前記タイロッド５０に連結され、他端が前記タイロッド挿入壁８の内面に当接するように前記受入空間２ａ内に設けられたバネ部材４と、を有する。【選択図】  図２
2015148045.tif 000002
【特許請求の範囲】
【請求項１】
タイロッドを連結するためのタイロッド連結具であって、
タイロッドの一端側を挿入する挿入孔が設けられるタイロッド挿入壁を備え、内部に前記タイロッド挿入壁に挿通されたタイロッドの先端側を受け入れる受入空間を有するケーシングと、
一端が前記タイロッドに連結され、他端が前記タイロッド挿入壁の内面に当接するように前記受入空間内に設けられたバネ部材と、を有することを特徴とするタイロッド連結具。
【請求項２】
前記ケーシングの前記受入空間の前記タイロッドの先端側に充填して配置される衝撃緩衝部材を有することを特徴とする、請求項１に記載のタイロッド連結具。
【請求項３】
前記バネ部材は、端部に膨出部を有するタイロッドの膨出部に当接するように配置されたコイルバネであることを特徴とする、請求項１又は２に記載のタイロッド連結具。
【請求項４】
前記バネ部材は、前記タイロッドに外挿配置されることを特徴とする、請求項３に記載のタイロッド連結具。
【請求項５】
さらに、前記タイロッド挿入壁と前記タイロッド挿入壁に対向する壁とを接続するように設けられる前記タイロッドの周囲に略平行に設けられたガイドバーと、
前記ガイドバーに沿ってスライド可能に設けられ、前記タイロッドと連結するスライダとを有し、
前記バネ部材は、前記スライダと前記タイロッド挿入壁との間に前記ガイドバーに外挿配置されることを特徴とする、請求項３又は４に記載のタイロッド連結具。
【請求項６】
前記ケーシングは、前記受入空間が形成され、開口部分にネジ部が形成されたケーシング本体と、前記ケーシング本体のネジ部に螺合するネジ部と前記タイロッド挿入壁を形成する頭部を有する調整ボルトを有することを特徴とする、請求項１から４のいずれか１つに記載のタイロッド連結具。
【請求項７】
前記タイロッド連結具は、前記ケーシングの対向する２つの壁が前記タイロッド挿入壁として形成されているターンバックルであることを特徴とする、請求項１から６に記載のタイロッド連結具。
【請求項８】
前記タイロッド連結具は、前記タイロッド挿入壁に対向する位置に、当該タイロッドが取り付けられる部材に連結するための連結部を有するクレビスであることを特徴とする、請求項１から６に記載のタイロッド連結具。
【請求項９】
請求項１に記載のタイロッド連結具と供に使用されるタイロッドであって、
端部に前記バネ部材の先端側端部を係止する膨出部と、
前記端部近傍の外周面に前記タイロッド挿入壁への挿入深さ距離を示す目盛りを備えることを特徴とする、タイロッド。
【請求項１０】
一端側外周面に挿入深さを示す目盛りが設けられたタイロッドを挿入する挿入孔が設けられるタイロッド挿入壁を備え挿通されたタイロッドの先端側を受け入れる受入空間が形成されたケーシングと、一端が前記タイロッドに連結され、他端が前記タイロッド挿入壁の内面に当接するように前記受入空間内に設けられた張力既知のバネ部材とを有するタイロッド連結具を用い、
前記タイロッド挿入壁に対する前記目盛りの値と前記バネ部材の張力に基づいて前記タイロッドの張力を測定することを特徴とする、タイロッドの張力測定方法。
【発明の詳細な説明】
【技術分野】
【０００１】
本発明は、タイロッド同士又はタイロッドと他の部材とを取り付けるために使用するタイロッド用ターンバックルやタイロッド用クレビス等のタイロッド連結具及びタイロッドの張力測定方法に関する。
【背景技術】
【０００２】
従来より、建築物などにおいて二つの部材の間に取り付けられて引っ張り材として機能させるテンション材料としてタイロッドが広く用いられている（例えば、特許文献１参照）。タイロッドは、通常、両端にネジが形成されており、一端側をクレビスにねじ込むことで連結させ、張力を加える部材にそれぞれ設けられた取り付けプレートに当該クレビスを介して取り付ける。また、２つのタイロッドの他端側はターンバックルを用いることで連結する。
【０００３】
このタイロッドのターンバックルは、一端側と他端側とで互いに逆方向にネジ切られた雌ネジを有し、これら逆方向の雌ネジに、２つのタイロッド端部に設けた雄ネジを螺合する構成である。このターンバックル本体を回転することで、ターンバックルの両端に螺合する２つのタイロッドの端部を軸方向に接離させ、タイロッドの軸間距離を調整すると共に、タイロッドの張力を調整している。このような構成を採用することにより、タイロッドは、容易に長さを調整することができ部材間に与える張力を調整することができるという特徴を有している。
【０００４】
このタイロッドの張力値の測定は、従来はトルクレンチ又は油圧ゲージを用いて行われている。そして、これらの方法で張力測定を行うことは煩雑であり、コスト的にも不利益であることから、すべてのタイロッドについて張力測定が行われることはなく、設計上必要とされる箇所に設けられるタイロッドについてのみ張力測定が行われているのが現状である。
【先行技術文献】
【特許文献】
【０００５】
【特許文献１】特開２００４−３００３８６号公報
【発明の概要】
【発明が解決しようとする課題】
【０００６】
しかし、近年の建築技術の向上に伴い複雑かつ高層建築が多く見られるようになってきている。これらの建物の建築は精密な設計と施工が必要であり、タイロッドの張力管理についても、より高度な管理が求められる。
【０００７】
また、タイロッドの取り付けについてはタイロッドに歪みを発生させないようにするために、専用の治具を用いてタイロッドにひずみ計を取り付け、当該ひずみ計により歪みを発生させないように行われる。このひずみ計によるタイロッドの歪み測定は、ひずみ計のセンサーの取り扱いが非常に繊細であることから、タイロッドの仮施工後にタイロッドに取り付けることが好ましく、この場合、タイロッドの自重による引っ張り張力の把握をすることが困難になるという問題があった。
【０００８】
さらに、テンション材料としてのタイロッドには、引っ張り力が常に加えられているが、地震などで建物に外力が加わりタイロッドが接続されている部材間の距離が近づいた場合などは、タイロッドが座屈により曲がるという問題もあった。
【０００９】
したがって、本発明が解決しようとする技術的課題は、タイロッドの張力管理を容易にすることができ、圧縮方向の力が加わった場合においてタイロッドの座屈を防止することができる、タイロッド連結具を提供することである。
【課題を解決するための手段】
【００１０】
本発明は、上記技術的課題を解決するために、以下の構成のタイロッド連結具を提供する。
【００１１】
本発明の第１態様によれば、タイロッドを連結するためのタイロッド連結具であって、
タイロッドの一端側を挿入する挿入孔が設けられるタイロッド挿入壁を備え、内部に前記タイロッド挿入壁に挿通されたタイロッドの先端側を受け入れる受入空間を有するケーシングと、
一端が前記タイロッドに連結され、他端が前記タイロッド挿入壁の内面に当接するように前記受入空間内に設けられたバネ部材と、を有することを特徴とするタイロッド連結具を提供する。
【００１２】
本発明の第２態様によれば、前記ケーシングの前記受入空間の前記タイロッドの先端側に充填して配置される衝撃緩衝部材を有することを特徴とする、第１態様のタイロッド連結具を提供する。
【００１３】
本発明の第３態様によれば、前記バネ部材は、端部に膨出部を有するタイロッドの膨出部に当接するように配置されたコイルバネであることを特徴とする、第１又は第２態様のタイロッド連結具を提供する。
【００１４】
本発明の第４態様によれば、前記バネ部材は、前記タイロッドに外挿配置されることを特徴とする、第３態様のタイロッド連結具を提供する。
【００１５】
本発明の第５態様によれば、さらに、前記タイロッド挿入壁と前記タイロッド挿入壁に対向する壁とを接続するように設けられる前記タイロッドの周囲に略平行に設けられたガイドバーと、
前記ガイドバーに沿ってスライド可能に設けられ、前記タイロッドと連結するスライダとを有し、
前記バネ部材は、前記スライダと前記タイロッド挿入壁との間に前記ガイドバーに外挿配置されることを特徴とする、第３又は第４態様のタイロッド連結具を提供する。
【００１６】
本発明の第６態様によれば、前記ケーシングは、前記受入空間が形成され、開口部分にネジ部が形成されたケーシング本体と、前記ケーシング本体のネジ部に螺合するネジ部と前記タイロッド挿入壁を形成する頭部を有する調整ボルトを有することを特徴とする、第１から第４態様のいずれか１つのタイロッド連結具を提供する。
【００１７】
本発明の第７態様によれば、前記タイロッド連結具は、前記ケーシングの対向する２つの壁が前記タイロッド挿入壁として形成されているターンバックルであることを特徴とする、第１から第６態様のタイロッド連結具を提供する。
【００１８】
本発明の第８態様によれば、前記タイロッド連結具は、前記タイロッド挿入壁に対向する位置に、当該タイロッドが取り付けられる部材に連結するための連結部を有するクレビスであることを特徴とする、第１から第６態様のタイロッド連結具を提供する。
【００１９】
本発明の第９態様によれば、第１態様のタイロッド連結具と供に使用されるタイロッドであって、
端部に前記バネ部材の先端側端部を係止する膨出部と、
前記端部近傍の外周面に前記タイロッド挿入壁への挿入深さ距離を示す目盛りを備えることを特徴とする、タイロッドを提供する。
【００２０】
本発明の第１０態様によれば、一端側外周面に挿入深さを示す目盛りが設けられたタイロッドを挿入する挿入孔が設けられるタイロッド挿入壁を備え挿通されたタイロッドの先端側を受け入れる受入空間が形成されたケーシングと、一端が前記タイロッドに連結され、他端が前記タイロッド挿入壁の内面に当接するように前記受入空間内に設けられた張力既知のバネ部材とを有するタイロッド連結具を用い、
前記タイロッド挿入壁に対する前記目盛りの値と前記バネ部材の張力に基づいて前記タイロッドの張力を測定することを特徴とする、タイロッドの張力測定方法を提供する。
【発明の効果】
【００２１】
本発明によれば、タイロッド挿入壁を貫通してケーシング内部に挿入されるタイロッドをその軸方向に張力を加えるバネ部材で支持しているため、連結具に連結されているタイロッドの伸縮方向、特に引っ張り力に対向する方向にバネ力を作用させ、当該バネ力による張力を与えることができる。また、そのバネ力は、バネ部材の長さ変化すなわち、タイロッドの挿入深さに基づいて決定されるため、タイロッドの張力管理を容易にすることができる。一方、タイロッドが圧縮した場合には、バネ部材が伸びることにより、タイロッド間の長さ変化を吸収することができ、タイロッドの座屈を防止することができる。
【００２２】
本発明の第２態様によれば、タイロッドの先端側に当接するように受入空間内に充填される衝撃緩衝部材により、タイロッドの圧縮方向への移動時にタイロッドの先端が勢いよく他の部材に接触することを防止し、圧縮時の座屈を防止することができる。
【００２３】
本発明の第３態様によれば、バネ部材をコイルバネとし、これをタイロッドの先端に設けられた膨出部とタイロッド挿入壁の内側面で挟むように支持することで、簡単な構成でバネ部材の張力をタイロッドの引っ張り方向に与えることができる。この場合、バネ部材をタイロッドに外挿するように配置することで、タイロッドの軸方向に対してバネ部材の張力を付与することができる。
【００２４】
本発明の第５態様によれば、タイロッドの周囲にバネ部材を配置することができ、複数のバネ部材を配置することができることから、タイロッドに加えられるバネ部材の張力を管理しやすくすることができる。
【００２５】
本発明の第６態様によれば、ケーシングをケーシング本体とこれに螺合する調整部材で構成することにより、ケーシング本体に対する調整部材のネジ込み量を自由に調整することができ、施工時にはネジ込み量の調整によりタイロッド間の長さを調整することができる。したがって、バネ部材の張力の管理が容易となる。
【００２６】
本発明のタイロッド連結具は、２つのタイロッドを連結するタイロッド用のターンバックルや、タイロッドとタイロッドが取り付けられる部材とを連結するタイロッド用のクレビス（又はフォークエンド）として好適に使用することができる。
【図面の簡単な説明】
【００２７】
【図１】本発明のタイロッド用連結具の第１実施形態にかかる使用状態のタイロッド用ターンバックルの構成を示す一部断面図である。
【図２】図１のタイロッド用ターンバックルの部分拡大分解斜視図である。
【図３】図１のタイロッド用ターンバックルの組み立て工程を示す図である。
【図４】図３に続くタイロッド用ターンバックルの組み立て工程を示す図である。
【図５】図４に続くタイロッド用ターンバックルの組み立て工程を示す図である。
【図６】本発明のタイロッド用連結具の第２実施形態にかかる使用状態のタイロッド用クレビスの構成を示す分解斜視図である。
【図７】図６のクレビスの構成を示す断面図である。
【図８】図６のタイロッドに所定の張力が負荷された状態のクレビスの構成を示す断面図である。
【図９】本発明のタイロッド用連結具の第３実施形態にかかる使用状態のタイロッド用ターンバックルの構成を示す断面図である。
【図１０】図９のX−X線における断面図である。
【図１１】図９のXI−XI線における断面図である。
【発明を実施するための形態】
【００２８】
以下、本発明の実施形態に係るタイロッド連結具について、図面を参照しながら説明する。
【００２９】
（第１実施形態）
図１は、本発明のタイロッド用連結具の第１実施形態にかかる使用状態のタイロッド用ターンバックルの構成を示す一部断面図である。図２は、図１のタイロッド用ターンバックルの部分拡大分解斜視図である。図１及び図２では、タイロッド用ターンバックル１に加えて、タイロッド用ターンバックル１に接続されるタイロッド５０も示している。
【００３０】
タイロッド５０は、部材としての一方の壁材や梁材と、他方の壁材や梁材との間に取り付けられて、張力材として機能する炭素鋼棒である。タイロッド５０は、壁材や梁材などの取付部材に設けられたガセットプレートに対して連結される連結具（クレビス等）を介して取り付けられる。タイロッド用ターンバックル１は、２つのタイロッド５０の他端同士を連結し、２つのタイロッドで接続された取付部材間に張力を与えた状態とするものである。
【００３１】
本実施形態にかかるタイロッド用ターンバックル１は、図１に示すように、円筒形状のケーシング本体２と、ケーシング本体２の両端に設けられる調整部材の一例としての調整ボルト３と、コイルバネ４と、衝撃緩衝部材５を備えている。ケーシング本体２の両端には、ネジ６，７が設けられている。
【００３２】
ケーシング本体２は、一般に建材として用いられている剛性の高い材料で構成されており、本実施形態では、両端に設けられているネジ６，７はねじ切りの回転方向が順ネジ６及び逆ネジ７で相反している。なお、ネジ６，７は、同じ回転方向を有するものを用いることも可能である。また、ケーシング本体２の内腔は、後述するタイロッド５０のタイロッドの先端側を受け入れる受入空間２ａとして機能する。
【００３３】
調整ボルト３は、ケーシング本体２と同様の材料より構成されており、タイロッド挿入壁８ａを有する頭部８と雄ネジ部９ａ，９ｂとで構成される。一方の雄ネジ部９ａには順ネジ６に対応するねじ切りが形成されており、他方の雄ネジ部９ｂには、逆ネジ７に対応するねじ切りが形成されている。頭部８には、スパナ掛け８ｂが設けられており、ケーシング本体２に対して調整ボルト３を螺進させる場合に使用する。
【００３４】
ケーシング本体２に設けられた順ネジ６及び逆ネジ７は、調整ボルト３の螺進位置を調整することで、施工時においてタイロッドの軸間距離及びタイロッド用ターンバックル１の螺進位置に応じてタイロッド間の張力の調整をするものである。すなわち、このタイロッド用ターンバックル１は、図１に示すように、タイロッド用ターンバックル１の長手方向において、順ネジ６及び逆ネジ７の幅Ｄ１及び雄ネジ部９ａ，９ｂの長さＤ２でこれらの調整しろが設定できる。順ネジ６及び逆ネジ７の幅Ｄ１及び雄ネジ部９ａ，９ｂの長さＤ２は、必要とするタイロッド５０の長さの調整しろに応じて適宜決定すればよく、Ｄ２を長くすることで調整幅を大きくすることができる。本実施形態ではタイロッド用ターンバックル１の大きさにもよるが、６０〜２００ｍｍ程度に構成されることが好ましい。
【００３５】
なお、調整ボルト３は、螺進位置を決定した後、ケーシングの端部近傍に設けられた貫通孔１１に止めネジ（図示なし）を用いることで固定される。
【００３６】
調整ボルト３には、タイロッド挿入壁８ａから雄ネジ部９ａ，９ｂの中心軸に沿ってその軸方向に貫通するタイロッド挿入孔１０が設けられている。タイロッド挿入孔１０は、タイロッド５０がその軸方向へスライドできる程度の遊嵌可能な口径に構成されている。
【００３７】
タイロッド５０の先端５１から所定の幅にはネジ切りがされている。当該ネジ５２には、本発明の膨出部の一例としてのストッパー５３が螺合する。ストッパー５３は、フランジ状の部材であり、中央にタイロッド５０の先端と螺合する雌ネジ５４が設けられている。本実施形態において雌ネジは５４、有底のネジ孔として構成されているが、ストッパー５３を貫通するように構成されていてもよい。
【００３８】
コイルバネ４は、ストッパー５３の表面と調整ボルト３の先端１２とで挟まれるようにタイロッド５０に外挿配置されている。なお、本実施形態においては、コイルバネ４とストッパー５３及び調整ボルト３はそれぞれ接着されておらず、タイロッド５０に対して調整ボルト３は、タイロッド中間方向へ自由に移動することができる一方、タイロッド先端５１側への移動は、コイルバネ４に接触してコイルバネ４の変形を伴う。なお、本実施形態では、コイルバネ４のバネ定数及び自然長は必要とされるタイロッド間張力により算定すればよい。
【００３９】
タイロッド５０の外周面には、タイロッド５０の調整ボルト３への挿入深さを示す目盛り５５が設けられている。これにより、コイルバネ４のバネ定数及び長さ寸法が既知であれば、タイロッド５０の挿入深さからコイルバネ４の変形量を導くことができ、結果として調整ボルト３に対するタイロッド５０の引っ張り力を算出することができる。
【００４０】
衝撃緩衝部材５は、ストッパー５３の先端５１と接触するように、ケーシング本体２の受入空間２ａに設けられる。衝撃緩衝部材５は、タイロッド５０に圧縮方向の力が加わったときに、タイロッド５０の先端５１同士が直接衝突するのを防止するためのものである。衝撃緩衝部材５としては、例えば、高分子材料やバネなど、タイロッド５０に加えられた衝撃を吸収できるクッション性を有するものであればその材質は問われない。本実施形態では、高分子衝撃吸収材が使用されている。また、後述するように衝撃緩衝部材５の充填量は、施工時に決定されるタイロッドの軸間距離に応じて適宜決定することが可能である。
【００４１】
本実施形態にかかるタイロッド用ターンバックル１は、次のようにして施工する。まず、タイロッド５０に調整ボルト３及びコイルバネ４を外挿させて、ストッパー５３をタイロッド５０の先端５１のネジ５２に螺合させる。なお、ストッパー５３とタイロッド５０のネジゆるみを防止するために、ネジ止め材を用いてもよいし、ストッパー５３に側面から雌ネジ５４に貫通する図示しない貫通孔を設け、当該貫通孔に止めネジなどで固定する構成を採用してもよい。
【００４２】
次いで、ケーシング本体２の内腔に衝撃緩衝部材５を充填し、図３に示すように、２つのタイロッド５０の先端をケーシング本体２の開口に挿入して、調整ボルト３をケーシング本体２の両端に螺合させる。調整ボルト３の螺進位置を調整することで、タイロッドの軸間距離を調整する。
【００４３】
その後タイロッドの両端をガゼットプレートに仮止めし、タイロッド間の張力を調整する。張力調整は、ケーシング本体２と調整ボルト３の螺進位置を変更することで行われる。このとき、上述したとおり、ケーシング本体２の両端に設けられている順ネジ６及び逆ネジ７は相反しているため、ケーシング本体２を回せばケーシング本体２の両端側の２つの調整ボルト３が近接する。
【００４４】
図５に示すように、２つの調整ボルト３が螺進することにより、コイルバネ４に押されてタイロッド５０の受入空間２ａ内への挿入深さは大きくなる。タイロッド５０の張力がコイルバネ４の弾性力を上回ると、コイルバネ４が縮んでタイロッド５０の両端にコイルバネ４の弾性力に相当する張力が負荷される。
【００４５】
すなわち、コイルバネ４の弾性力は、バネ定数にバネの変形幅により求められ、タイロッド５０には、バネの弾性力に相当する張力が付加される。コイルバネ４は、タイロッドの先端に設けられたストッパー５３と調整ボルト３の先端との間に挟まれているため、このバネの変形幅は調整ボルト３への挿入深さを測定することで導くことができ、これはタイロッド５０の外表面に設けられた目盛り５５によって計測することができる。
【００４６】
なお、本実施形態のターンバックル１には、２つのコイルバネ４が設けられており、ターンバックル両端に存在するタイロッド５０間の張力は、２つのコイルバネ４の張力の合計として計測することが可能である。
【００４７】
また、タイロッド５０の施工後、２つのタイロッドが圧縮される方向に力が加わった場合、コイルバネ４が伸びてタイロッド５０がケーシング本体２内に挿入される方向に移動することで座屈が防止できる。また、２つのタイロッド５０の間に衝撃緩衝部材５が設けられていることにより、２つのタイロッド５０が衝突して座屈することもない。
【００４８】
（第２実施形態）
図６は、本発明のタイロッド用連結具の第２実施形態にかかる使用状態のタイロッド用クレビスの構成を示す分解斜視図である。図７は、図６のクレビスの構成を示す断面図である。図６及び図７では、タイロッド用クレビスに加えて、タイロッド用クレビスに接続されるタイロッド５０示している。本実施形態にかかるタイロッド用クレビス（フォークエンド）２０は、壁材や梁材に設けられたガセットプレート６０に対して連結される連結部２１と、連結部２１と一体的に構成されタイロッド５０と連結する筒状のケーシング本体２２と、ケーシング本体２２の端部に設けられる調整部材の一例としての調整ボルト２３と、コイルバネ２４とを備える。
【００４９】
連結部２１は、ガセットプレート６０を受け入れる隙間を形成して互いに平行に延びる一対の舌片部２５で構成される。各舌片部２５には、ピン２６の径に対応する径を有するピン挿通孔２７が形成されている。また、ガセットプレート６０は、舌片部２５間に形成された隙間に挿入可能な幅寸法を有する鋼板部材で構成され、ピン２６の径に対応する径を備えたピン挿通孔６１が形成されている。
【００５０】
図６示されるように、ガセットプレート６０が、連結部２１の舌片部２５間の隙間に差し込まれ、ピン挿通孔２７，６１が位置合わせされた状態で、これらピン挿通孔２７，６１にピン２６が挿通され脱落不可に連結部２１に保持される。このように組み付けることで、タイロッド用クレビス２０が、ガセットプレート６０に、ピン２６を回転軸として回動自在に連結される。
【００５１】
タイロッド５０は、タイロッド用クレビス２０を介して他方の壁材や梁材との間に取り付けられて、張力材として機能する炭素鋼棒である。すなわち、本実施形態にかかるタイロッド用クレビス２０は、タイロッド５０を他の部材と連結する連結具として機能すると供に、後述するようにタイロッド５０で接続された取付部材間に張力を与えその張力の大きさを測定するものである。
【００５２】
ケーシング本体２２は、連結部２１と反対側の端部が開口している。ケーシング本体２２の内腔は、タイロッド５０のタイロッドの先端側を受け入れる受入空間２２ａとして機能する。
【００５３】
ケーシング本体２２は、一般に建材として用いられている剛性の高い材料で構成されており、ケーシングの開口部分には雌ネジ３０が形成される。調整ボルト２３は、ケーシング本体２２と同様の材料より構成されており、タイロッド挿入壁２８ａを有する頭部２８と雄ネジ部２９とで構成される。
【００５４】
ケーシング本体２２に設けられた雌ネジ３０は、調整ボルト２３の螺進位置を調整することで、タイロッド用クレビス２０に対するタイロッド５０の挿入幅を変更し、タイロッドの軸間距離及びタイロッド間の張力を調整することができる。
【００５５】
すなわち、このタイロッド用クレビス２０は、図６に示すように、タイロッド用クレビス２０の長手方向において、雌ネジ３０の幅Ｄ１及び雄ネジ部２９の長さＤ２で調整しろが設定できる。このような構成により、調整ボルト２３をケーシング本体２２に接続する際、雌ネジ３０と雄ネジ部２９のネジが切られている長さにわたって螺合した状態で、調整ボルト２３の頭部２８のケーシング本体２２の基端からの突出量を調整することができる。雄ネジ部２９の長さＤ２は、必要とするタイロッド５０の長さの調整しろに応じて適宜決定すればよく、本実施形態ではタイロッド用クレビス２０の大きさにもよるが、ケーシング本体２２の内腔径の２〜５倍程度の幅に構成されることが好ましい。
【００５６】
なお、調整ボルト２３は、螺進位置を決定した後、ケーシングの端部近傍に設けられた貫通孔３１に止めネジ（図示なし）を用いることで固定される。
【００５７】
調整ボルト２３には、タイロッド挿入壁２８ａから雄ネジ部２９の中心軸に沿ってその軸方向に貫通する挿入孔３２が設けられている。挿入孔３２は、タイロッド５０がその軸方向へスライドできる程度の遊嵌可能な口径に構成されている。
【００５８】
タイロッド５０の先端５１から所定の幅にはネジ切りがされている。当該ネジ５２には、本発明の膨出部の一例としてのストッパー５３が螺合する。ストッパー５３は、円盤状の部材であり、中央にタイロッド５０の先端と螺合する雌ネジ５４が設けられている。本実施形態において雌ネジ５４は、ストッパー５３を貫通するように構成されており、ストッパー５３と調整ボルト２３との間隔を調整することができる。
【００５９】
コイルバネ２４は、ストッパー５３の表面と調整ボルト２３の先端１２とで挟まれるようにタイロッド５０に外挿配置されている。なお、本実施形態においては、コイルバネ２４とストッパー５３及び調整ボルト２３はそれぞれ接着されておらず、タイロッド５０に対して調整ボルト２３は、タイロッド中間方向へ自由に移動することができる一方、タイロッド先端５１側への移動は、コイルバネ２４に接触してコイルバネ２４の変形を伴う。
【００６０】
タイロッド５０の外周面には、タイロッド５０の調整ボルト２３への挿入深さを示す目盛り５５が設けられている。これにより、コイルバネ２４のバネ定数及び長さ寸法が既知であれば、タイロッド５０の挿入深さからコイルバネ２４の変形量を導くことができ、結果として調整ボルト２３に対するタイロッド５０の引っ張り力を算出することができる。
【００６１】
本実施形態にかかるタイロッド用クレビス２０は、次のようにして施工する。まず、タイロッド５０の他端側を調整ボルト２３の挿入孔３２に通し、次いでコイルバネ２４を外挿させて、ストッパー５３をタイロッド５０のネジ５２に螺合させる。次いで、ケーシング本体２２の開口にタイロッド５０の先端を挿入し、調整ボルト２３をケーシング本体２２の開口に螺合させる。
【００６２】
次に、調整ボルト２３を軸周りに回転させて、ケーシング本体２２と調整ボルト２３の螺進位置を調整し、タイロッドの軸間距離を調整する。
【００６３】
タイロッドの両端にタイロッド用クレビス２０を取りつけた後、ガセットプレート６０に固定する。なお、タイロッドは中間にターンバックルが設けられている物であってもよいし、１本のタイロッドの両端にクレビス２０を取りつけたものであってもよい。
【００６４】
その後、調整ボルト２３をさらに締め付け、調整ボルト２３の螺進位置を矢印９０の方向に螺進させることにより、コイルバネ２４に押されてタイロッド５０の受入空間２２ａ内への挿入深さは大きくなる。さらに調整ボルト２３の螺進位置を進めてタイロッド５０の張力がコイルバネ２４の弾性力を上回ると、図８に示すように、コイルバネ２４が縮んでタイロッド５０の両端にコイルバネ２４による張力が負荷される。
【００６５】
すなわち、コイルバネ２４の弾性力は、バネ定数及びバネの変形幅により求められ、タイロッド５０には、バネの弾性力に相当する張力が付加される。コイルバネ２４は、タイロッドの先端に設けられたストッパー５３と調整ボルト２３の先端との間に挟まれているため、このバネの変形幅は調整ボルト２３への挿入深さを測定することで導くことができ、これはタイロッド５０の外表面に設けられた目盛り５５によって計測することができる。
【００６６】
（第３実施形態）
図９は、本発明のタイロッド用連結具の第３実施形態にかかる使用状態のタイロッド用ターンバックルの構成を示す断面図である。図１０は、図９のX−X線における断面図である。図１１は、図９のXI−XI線における断面図である。図９では、タイロッド用ターンバックル１に加えて、タイロッド用ターンバックル１に接続されるタイロッド５０も示しており、一方はスライダ４０と螺合した状態を表している。
【００６７】
本実施形態にかかるタイロッド用ターンバックル３５は、図９に示すように、円筒形状のケーシング本体３６と、ケーシング本体３６の両端を構成する頭部３７と、ケーシング本体３６の内腔に設けられ対向する頭部３７に懸架されるガイドバー３８と、ガイドバー３８に外挿されるコイルバネ３９と、ガイドバー３８に沿ってスライド可能に設けられているスライダ４０とを備えている。
【００６８】
ケーシング本体３６は、図１０に示すように、両端から所定幅だけコイルバネ収納部４１が設けられた円筒状の部材である。コイルバネ収納部４１は、コイルバネ３９の外形に合わせ他切り欠きが設けられており、当該切り欠きにコイルバネ３９を収納して整列配置できるようになっている。また、ケーシング本体３６の内腔は、後述するタイロッド５０のタイロッドの先端側を受け入れる受入空間３６ａとして機能する。
【００６９】
ケーシング本体３６の両端を構成するタイロッド挿入壁３７は、中央にタイロッド挿入孔４２が形成されている。タイロッド挿入孔４２は、タイロッド５０がその軸方向へスライドできる程度の遊嵌可能な口径に構成されている。
【００７０】
図１０及び図１１に示すように、対向するタイロッド挿入壁３７には、６本のガイドバー３８が懸架されている。それぞれのガイドバー３８には、コイルバネ３９とスライダ４０が外挿されている。
【００７１】
コイルバネ３９は、頭部３７とスライダ４０で挟まれるように配置されている。本実施形態においては、コイルバネ３９とスライダ４０及び頭部３７はそれぞれ接着されておらず、スライダ４０は、ガイドバー３８に沿って自由に移動することができる。
【００７２】
スライダ４０は、中央部にタイロッド５０の先端５１から所定の幅に設けられているネジと螺合するための雌ネジ４２が設けられた板状部材である。一対のスライダに設けられている雌ネジ４２は、ねじ切りの回転方向が順ネジ及び逆ネジで相反している。よって、２本のタイロッド５０を２つのスライダ４０に螺合させた状態でケーシング本体３６を軸周りに回転させることでタイロッド５０とスライダ４０の螺進位置を調整することができる。
【００７３】
本実施形態にかかるターンバックル３５は、第１実施形態にかかるターンバックルと同様に、両端にタイロッドを取りつけ、タイロッドの螺進位置を調整して軸間距離を決定した後、ガセットプレートにタイロッドの両端を取りつける。その後、ケーシング本体３６を軸周りに回転させて、タイロッド５０をスライダ４０により深く挿入させることでタイロッドの軸間距離を短くする。これに伴い、コイルバネ３９が縮むことによってタイロッド間に各コイルバネ３９のバネ力に相当する張力が負荷される。
【００７４】
以上説明したように、本実施形態にかかるタイロッド用連結具によれば、コイルバネにより、タイロッドを張力を調整可能に支持するため、連結具に連結されているタイロッドの伸縮方向、特に引っ張り力に対向する方向にバネ力を作用させ、当該バネ力による張力を与えることができる。また、そのバネ力は、バネ部材の長さ変化すなわち、タイロッドの挿入深さに基づいて決定されるため、タイロッドの張力管理を容易にすることができる。一方、タイロッドが圧縮した場合には、バネ部材が伸びることにより、タイロッド間の長さ変化を吸収することができ、タイロッドの座屈を防止することができる。
【００７５】
本発明の各実施形態にかかる、タイロッド用ターンバックルとタイロッド用クレビスを組み合わせることで、部材間に取り付けられるタイロッド５０に少なくとも４つのコイルバネを配置させることができる。このため、これらのコイルバネの張力の合計がタイロッドの張力となり、タイロッドの張力管理を容易に行なうことができる。
【００７６】
なお、本発明は上記実施形態に限定されるものではなく、その他種々の態様で実施可能である。例えば、ストッパー５３は、厚み方向幅を小さく構成することを目的として、タイロッド５０の先端を膨出するように形成することで、タイロッドと一体構成とすることも可能である。この構成を採用することにより調整ボルト２３先端とストッパーとの間の空間を広く取ることができ、より強力なコイルバネ２４を使用することができる。
【００７７】
また、例えば、本実施形態においてタイロッド用連結具に接続されるタイロッドは炭素鋼棒で形成されたが、高張力鋼棒やステンレス鋼棒で形成されてもよく、あるいは、ワイヤ等の線材であってもよい。なお、タイロッドは、用途や設置位置に応じて、テンションロッドやブレースと称呼されるものも包含される。
【００７８】
また、本発明のタイロッド用連結具に接続されるタイロッドは、壁材や梁材に限らず、例えば柱材等の他の部材に取り付けられてもよく、また、タイロッドが取り付けられる部材は、建築構造物及び土木構造物のいずれの部材であってもよい。
【符号の説明】
【００７９】
１，３５  タイロッド用ターンバックル
２，２２，３６  ケーシング本体
２ａ，２２ａ，３６ａ  受入空間
３，２３  調整ボルト
４，２４，３９  コイルバネ
５  衝撃緩衝部材
６  順ネジ
７  逆ネジ
８，２８  頭部
８ａ，２８ａ，３７  タイロッド挿入壁
９ａ，９ｂ，２９  雄ネジ部
１０，３２，４２  タイロッド挿入孔
１１  貫通孔
２０  タイロッド用クレビス
２１  連結部
２５  舌片部
２６  ピン
３０  雌ネジ
３８  ガイドバー
４０  スライダ
４１  コイルバネ収納部
４２  雌ネジ
５０  タイロッド
５１  先端
５２  ネジ
５３  ストッパー
５４  雌ネジ
５５  目盛り
６０  ガセットプレート
６１  ピン挿通孔
【図１】
2015148045.tif 000003
【図２】
2015148045.tif 000004
【図３】
2015148045.tif 000005
【図４】
2015148045.tif 000006
【図５】
2015148045.tif 000007
【図６】
2015148045.tif 000008
【図７】
2015148045.tif 000009
【図８】
2015148045.tif 000010
【図９】
2015148045.tif 000011
【図１０】
2015148045.tif 000012
【図１１】
2015148045.tif 000013